【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
表示手段を有する携帯情報端末装置と通信可能に構成された眼科装置であって、
照明された被検眼からの戻り光を用いて前記被検眼の動画像を取得する撮像手段を含み、前記被検眼の情報を取得するための本体部と、
前記本体部を駆動する駆動手段と、
前記被検眼の情報が取得される前に、前記取得された動画像を示す動画信号を前記携帯情報端末装置に送信する送信手段と、
前記動画信号が送信されている時に、前記携帯情報端末装置から制御信号を受信する受信手段と、
前記受信された制御信号を用いて、前記駆動手段を制御する制御手段と、
を有することを特徴とする眼科装置。
【請求項２】
前記受信手段は、前記携帯情報端末装置が受信した前記動画信号に基づいて前記表示手段に表示された前記動画像上で指示された信号を、前記制御信号として前記携帯情報端末装置から受信することを特徴とする請求項１に記載の眼科装置。
【請求項３】
前記本体部と前記携帯情報端末装置との距離が所定の距離未満であることを検知する検知手段を更に有し、
前記送信手段は、前記距離が所定の距離未満であることが検知された場合に、前記動画信号を前記携帯情報端末装置に送信することを特徴とする請求項１または２に記載の眼科装置。  
【請求項４】
前記検知手段は、前記本体部と前記携帯情報端末装置とが接触することにより、または、無線通信により、前記本体部と前記携帯情報端末装置との距離が所定の距離未満であることを検知することを特徴とする請求項３に記載の眼科装置。
【請求項５】
前記制御手段は、前記表示手段の表示画面の２か所をつまむような検者の操作に応じて前記本体部を前記被検眼から遠ざける方向に移動し、前記表示画面の２か所を開くような検者の操作に応じて前記本体部を前記被検眼に近づける方向に移動するように、前記駆動手段を制御することを特徴とする請求項１乃至４のいずれか１項に記載の眼科装置。
【請求項６】
携帯情報端末装置と通信可能に構成された眼科装置であって、
被検眼を検査する検眼手段と、
当該眼科装置が前記携帯情報端末装置と接触した場合、または、当該眼科装置が前記携帯情報端末装置と非接触であって当該携帯情報端末装置との距離が所定の距離未満となった場合に、前記携帯情報端末装置から状態確認信号を受信する受信手段と、
前記検査により得られた前記被検眼の動画信号を前記携帯情報端末装置に送信する送信手段と、
を有することを特徴とする眼科装置。
【請求項７】
前記受信手段は、前記動画信号が前記携帯情報端末装置に送信された後に、前記携帯情報端末装置からの操作信号を受信し、
前記送信手段は、前記受信された操作信号に基づいて、前記被検眼を検査した結果である検眼結果信号を前記携帯情報端末装置に送信することを特徴とする請求項１乃至６のいずれか１項に記載の眼科装置。
【請求項８】
前記送信手段は、前記動画信号を、ブルーツースまたは高速無線ＬＡＮの通信規格を用いて、前記携帯情報端末装置に送信することを特徴とする請求項１乃至７のいずれか１項に記載の眼科装置。
【請求項９】
前記送信手段は、前記被検眼の検査に係る設定値情報、前記検査に係る検眼モード状態情報、前記被検眼の左右眼情報、前記検査に係る検眼エラー有無情報、及び、前記検査した結果である検眼結果信号に基づく検眼結果情報のうちの少なくとも１つの情報を含む検眼制御信号を、１３．５６ＭＨｚの近距離無線通信の通信規格を用いて、前記携帯情報端末装置に送信し、
前記受信手段は、前記携帯情報端末装置から、前記検査に係る設定情報、前記検査に係る回数情報、前記検査を行う検眼手段におけるアライメント操作情報、及び、前記検査に係る検眼開始操作情報のうちの少なくとも１つの情報を受信することを特徴とする請求項１乃至８のいずれか１項に記載の眼科装置。
【請求項１０】
前記受信手段は、前記携帯情報端末装置との距離が所定の距離以上となり且つ所定時間が経過した場合に、前記携帯情報端末装置から通信解除信号を受信し、
前記受信された通信解除信号に基づいて、前記携帯情報端末装置との通信を解除する通信解除手段を更に有することを特徴とする請求項１乃至９のいずれか１項に記載の眼科装置。
【請求項１１】
前記送信手段は、当該眼科装置を識別するための識別情報を前記携帯情報端末装置に送信し、当該眼科装置が既に使用中である場合には、使用中であることを示す情報を前記携帯情報端末装置に送信することを特徴とする請求項１乃至１０のいずれか１項に記載の眼科装置。
【請求項１２】
被検眼の情報を取得するための本体部を有する眼科装置と通信可能に構成され、表示手段を有する携帯情報端末装置であって、
前記被検眼の情報が取得される前に、照明された被検眼からの戻り光を用いて撮像手段により取得された前記被検眼の動画像を示す動画信号を前記眼科装置から受信する受信手段と、
前記動画像を前記表示手段に表示させる表示制御手段と、
前記動画信号が送信されている時に、前記表示された動画像上の指示に関する情報を用いて、前記眼科装置に制御信号を送信する送信手段と、
を有することを特徴とする携帯情報端末装置。
【請求項１３】
前記送信手段は、前記表示手段の表示画面の２か所をつまむような検者の操作に応じて前記本体部を前記被検眼から遠ざける方向に移動するための前記制御信号を前記眼科装置に送信し、前記表示画面の２か所を開くような検者の操作に応じて前記本体部を前記被検眼に近づける方向に移動するための前記制御信号を前記眼科装置に送信することを特徴とする請求項１２に記載の携帯情報端末装置。
【請求項１４】
被検眼を検査する少なくとも１つ以上の眼科装置と通信可能に構成された携帯情報端末装置であって、
前記眼科装置が当該携帯情報端末装置と接触した場合、または、前記眼科装置が当該携帯情報端末装置と非接触であって当該携帯情報端末装置との距離が所定の距離未満となった場合に、前記眼科装置から状態確認信号を受信し、前記検査により得られた前記被検眼の動画像を示す動画信号を前記眼科装置から受信する受信手段と、
前記動画像を表示手段に表示させる表示制御手段と、
を有することを特徴とする携帯情報端末装置。
【請求項１５】
当該携帯情報端末装置と接触した眼科装置、または、当該携帯情報端末装置と非接触であって当該携帯情報端末装置との距離が所定の距離未満の眼科装置を認識する認識手段を更に有し、
前記表示制御手段は、前記認識手段で眼科装置が認識されると、当該眼科装置に係る表示画面を前記表示手段に表示させることを特徴とする請求項１２乃至１４のいずれか１項に記載の携帯情報端末装置。
【請求項１６】
当該携帯情報端末装置は、複数の前記眼科装置と通信可能に構成されており、
前記複数の眼科装置のうち、他の眼科装置に比べて当該携帯情報端末装置に対して近傍に位置する眼科装置を認識する認識手段を更に有し、
前記表示制御手段は、前記認識手段で認識された眼科装置に係る表示画面を前記表示手段に表示させることを特徴とする請求項１２乃至１４のいずれか１項に記載の携帯情報端末装置。
【請求項１７】
前記表示制御手段は、前記認識手段で眼科装置が認識されると、前記表示手段に表示する表示画面を、患者待機状態の表示画面から当該眼科装置に係る表示画面に切り換え、前記認識手段で認識された眼科装置で得られた前記被検眼の動画信号に基づく動画像と前記認識手段で認識された眼科装置で得られた検眼制御信号に基づく検眼制御情報とを含む前記表示画面を前記表示手段に表示させ、
前記検眼制御信号は、前記被検眼の検査に係る設定値情報、前記検査に係る検眼モード状態情報、前記被検眼の左右眼情報、前記検査に係る検眼エラー有無情報、及び、前記検査した結果である検眼結果信号に基づく検眼結果情報のうちの少なくとも１つの情報を含むものであることを特徴とする請求項１５または１６に記載の携帯情報端末装置。
【請求項１８】
当該携帯情報端末装置が前記眼科装置を前記認識手段で認識している際に検者が当該携帯情報端末装置を持ちながら移動した際に、前記認識手段で認識している眼科装置との距離が所定の距離以上となり且つ所定時間が経過した場合に、前記表示制御手段は、さらに、前記認識手段で認識している眼科装置との通信を解除するか否かを選択するためのアイコンを前記表示手段に表示させ、
前記認識手段で複数の眼科装置が認識された場合に、前記表示制御手段は、当該複数の眼科装置のうちのいずれかの眼科装置を選択するための選択画面を前記表示手段に表示させ、その後、検者によりいずれかの眼科装置が選択されると、当該選択された眼科装置に係る表示画面を前記表示手段に表示させ、
前記認識手段で認識された眼科装置から、当該眼科装置が既に使用中であることを示す情報が受信された場合に、前記表示制御手段は、前記受信された情報に基づいて、当該眼科装置が使用中である旨を前記表示手段に表示させることを特徴とする請求項１５乃至１７のいずれか１項に記載の携帯情報端末装置。
【請求項１９】
照明された被検眼からの戻り光を用いて前記被検眼の動画像を取得する撮像手段を含み、前記被検眼の情報を取得するための本体部と、前記本体部を駆動する駆動手段と、を有し、表示手段を有する携帯情報端末装置と通信可能に構成された眼科装置の制御方法であって、
前記被検眼の情報が取得される前に、前記取得された動画像を示す動画信号を前記携帯情報端末装置に送信するステップと、
前記動画信号が送信されている時に、前記携帯情報端末装置から制御信号を受信するステップと、
前記受信された制御信号を用いて、前記駆動手段を制御するステップと、
を有することを特徴とする眼科装置の制御方法。
【請求項２０】
携帯情報端末装置と通信可能に構成された眼科装置の制御方法であって、
検眼手段を用いて被検眼を検査する検眼ステップと、
前記眼科装置が前記携帯情報端末装置と接触した場合、または、前記眼科装置が前記携帯情報端末装置と非接触であって当該携帯情報端末装置との距離が所定の距離未満となった場合に、前記携帯情報端末装置から状態確認信号を受信する受信ステップと、
前記検査により得られた前記被検眼の動画信号を前記携帯情報端末装置に送信する送信ステップと
を有することを特徴とする眼科装置の制御方法。
【請求項２１】
請求項１９または２０に記載の眼科装置の制御方法におけるステップをコンピュータに実行させるためのプログラム。
【手続補正２】
【補正対象書類名】明細書
【補正対象項目名】発明の名称
【補正方法】変更
【補正の内容】
【発明の名称】眼科装置及びその制御方法、携帯情報端末装置、並びに、プログラム
【手続補正３】
【補正対象書類名】明細書
【補正対象項目名】０００１
【補正方法】変更
【補正の内容】
【０００１】
本発明は、眼科装置及びその制御方法、携帯情報端末装置、並びに、プログラムに関するものである。
【手続補正４】
【補正対象書類名】明細書
【補正対象項目名】０００６
【補正方法】変更
【補正の内容】
【０００６】
本発明の眼科装置は、表示手段を有する携帯情報端末装置と通信可能に構成された眼科装置であって、照明された被検眼からの戻り光を用いて前記被検眼の動画像を取得する撮像手段を含み、前記被検眼の情報を取得するための本体部と、前記本体部を駆動する駆動手段と、前記被検眼の情報が取得される前に、前記取得された動画像を示す動画信号を前記携帯情報端末装置に送信する送信手段と、前記動画信号が送信されている時に、前記携帯情報端末装置から制御信号を受信する受信手段と、前記受信された制御信号を用いて、前記駆動手段を制御する制御手段と、を有する。
本発明の眼科装置における他の態様は、携帯情報端末装置と通信可能に構成された眼科装置であって、被検眼を検査する検眼手段と、当該眼科装置が前記携帯情報端末装置と接触した場合、または、当該眼科装置が前記携帯情報端末装置と非接触であって当該携帯情報端末装置との距離が所定の距離未満となった場合に、前記携帯情報端末装置から状態確認信号を受信する受信手段と、前記検査により得られた前記被検眼の動画信号を前記携帯情報端末装置に送信する送信手段と、を有する。
本発明の携帯情報端末装置は、被検眼の情報を取得するための本体部を有する眼科装置と通信可能に構成され、表示手段を有する携帯情報端末装置であって、前記被検眼の情報が取得される前に、照明された被検眼からの戻り光を用いて撮像手段により取得された前記被検眼の動画像を示す動画信号を前記眼科装置から受信する受信手段と、前記動画像を前記表示手段に表示させる表示制御手段と、前記動画信号が送信されている時に、前記表示された動画像上の指示に関する情報を用いて、前記眼科装置に制御信号を送信する送信手段と、を有する。
本発明の携帯情報端末装置における他の態様は、被検眼を検査する少なくとも１つ以上の眼科装置と通信可能に構成された携帯情報端末装置であって、前記眼科装置が当該携帯情報端末装置と接触した場合、または、前記眼科装置が当該携帯情報端末装置と非接触であって当該携帯情報端末装置との距離が所定の距離未満となった場合に、前記眼科装置から状態確認信号を受信し、前記検査により得られた前記被検眼の動画像を示す動画信号を前記眼科装置から受信する受信手段と、前記動画像を表示手段に表示させる表示制御手段と、を有する。
また、本発明は、上述した眼科装置の制御方法、並びに、当該制御方法をコンピュータに実行させるためのプログラムを含む。